(57)【特許請求の範囲】
【請求項１】
球皿の底壁に開設した球抜き孔と、前記球抜き孔を閉じる方向にスプリングで付勢したシャッター板と、前記シャッター板を摺動自在に支持させる支持枠とを備え、前記シャッター板を常には前記球抜き孔を閉じる閉鎖位置に付勢すると共に、前記シャッター板を前記球抜き孔を開放する球抜き位置に係止保持し得るようにしたパチンコ機であって、
前記底壁であって前記球抜き孔の傍にはパチンコ球が落下可能な透孔を穿設し、前記シャッター板には前記球抜き孔を全開する位置で前記底壁の透孔に合致してパチンコ球が落入する貫通孔を設け、
前記シャッター板が球抜き位置に係止保持されると、合致した状態の前記透孔及び前記貫通孔に嵌入し且つ前記支持枠上にあるパチンコ球が外部から視認でき、前記球抜き孔が開放状態であることを遊技者に認識させ得るようにしたことを特徴とするパチンコ機。
【発明の詳細な説明】
【０００１】
【発明の属する技術分野】
本発明は、パチンコ球を貯留する皿部の底壁に球抜き孔を開設し、該底壁の下面に設けたシャッター板を摺動させることにより、球抜き孔を開放するようにした球皿を備えてなるパチンコ機に関し、特に球抜き孔が開放された球抜き状態であることを遊技者に容易に認識させ得ることができるようにしたパチンコ機に関するものである。
【０００２】
【従来の技術】
従来、パチンコ球を貯留する皿部の底壁に球抜き孔を開設すると共に、該底壁の下面に球抜き孔を開閉するシャッター板を摺動自在に設け、該シャッター板を常には球抜き孔を閉じる閉鎖位置に付勢すると共に、ストッパー手段によりシャッター板を球抜き孔を開放する球抜き位置に係止保持し得るようにしたパチンコ機は知られている（例えば実開平５−９５８３号公報参照）。
【０００３】
このようなパチンコ機は、球抜きが容易かつ楽にできるという有利性があるものの、遊技者が球抜き孔を開放したままの状態で台を移動してしまう場合が多くあり、このため、例えば次の遊技者が球抜き状態になっていることに気付かないで皿部にパチンコ球を投入するようなことがあるとそのパチンコ球が球抜き孔から落下して床面上に散乱してしまう等多大な迷惑を及ぼすようなことがあった。
【０００４】
本発明は上記のような問題点に鑑みてなされたもので、その目的とするところは、簡単な構造で遊技者に球抜き状態であることを認識させることができるようなパチンコ機を提供しようとするものである。
【０００５】
【課題を解決するための手段】
上記目的を達成するために本発明は、パチンコ球を貯留する皿部の底壁に球抜き孔を開設すると共に、該底壁の下面に球抜き孔を開閉するシャッター板を摺動自在に設け、該シャッター板を常には球抜き孔を閉じる閉鎖位置に付勢すると共に、ストッパー手段によりシャッター板を球抜き孔を開放する球抜き位置に係止保持し得るようにした球皿を備えてなるパチンコ機において、前記皿部の底壁に、シャッター板が球抜き孔を開放する球抜き位置に係止保持された状態のとき皿部内のパチンコ球が嵌入し得る透孔を設け、該透孔に嵌入するパチンコ球を外部から視認可能な状態として球抜き孔が開放された球抜き状態であることを遊技者に認識させ得る表示手段として用いるようにしたことを特徴としている。
【０００６】
このように構成することにより、皿部内に貯留されるパチンコ球を球抜き孔が開放された球抜き状態であることを遊技者に認識させる表示手段として効果的に利用することが可能となり、かつ簡単な構造で遊技者に球抜き状態であることを認識させることが可能となる。
【０００７】
【発明の実施の形態】
次に、本発明の実施の形態を図面に従い説明する。図１は本発明に係るパチンコ機の正面図、図２は下部球皿の斜視図、図３は下部球皿の分解斜視図である。図において、１はパチンコ機、２はその前面枠、３は前面枠２の後部に位置する遊技盤、４は遊技盤３の上方部分を覆うガラス枠、５は遊技盤３の下方部分を覆う前面板で、その前面に上部球皿６が取付けられている。また、前面枠２の前面下部に下部球皿７が装着されている。
【０００８】
しかして、前記下部球皿７は、図２および図３に示すように皿部８と該皿部８上に被着させるカバー部材９とに二分割して形成されている。そして、皿部８の底壁１０であって、そのほぼ中央位置に球抜き孔１１が開設されており、さらに該球抜き孔１１の近くにパチンコ球の直径とほぼ等しい大きさの透孔１２が穿設されている。１３は前記球抜き孔１１を開閉するシャッター板で、該シャッター板１３は皿部８の底壁１０下面と該底壁１０下面にビス着される支持枠１４との間に摺動自在に装着されており、支持枠１４に内装したスプリング１５により球抜き孔１１を閉じる方向に付勢されている。
【０００９】
前記シャッター板１３の前面縁には皿部８の外方に突出する操作部１６が突設されており、該操作部１６を手で操作することによってシャッター板１３がスプリング１５の付勢に抗して摺動し得るように構成されている。また、シャッター板１３の後側縁には球抜き孔１１を閉じる位置で透孔１２を閉塞する受片１７が一体に設けられている。
【００１０】
また、前記シャッター板１３の受片１７には、シャッター板１３を摺動させて球抜き孔１１を全開する第１位置（図５（ｂ）参照）で透孔１２に合致する保持部１８を有する屈曲溝孔１９と、球抜き孔１１をほぼ全開する第２位置（図５（ｃ）参照）で透孔１２に合致する貫通孔２０とが設けられている。
【００１１】
一方、前記支持枠１４には、球抜き孔１１と相対する位置にほぼ同じ大きさの円形孔２１が開設されている。また、シャッター板１３の受片１７と対向する位置に長溝状の凹部２２が形成されており、該凹部２２にはシャッター板１３の球抜き孔１１を全開する第１位置で屈曲溝孔１９の開放端部に合致する第１落下孔２３と、貫通孔２０に合致する第２落下孔２４とがそれぞれ開設されている。また、凹部２２には保持部１８または貫通孔２０に落入したパチンコ球を受ける浅い凹窪部２５と、保持部１８に落入したパチンコ球が当接してシャッター板１３を球抜き孔１１をほぼ全開する第２位置で停止させるように機能する係合段部２６とを設けている。なお、凹部２２の底面は第１落下孔２３に向かう緩やかな傾斜面として形成されている。
【００１２】
このように構成された下部球皿７は、通常皿部８の底壁１０に開設された球抜き孔１１が図５（ａ）に示すようにシャッター板１３によって閉塞されている。また、透孔１２は図６（ａ）に示すようにシャッター板１３の受片１７によって閉塞されていて皿部８に貯留されているパチンコ球が落入し得ない状態になっている。
【００１３】
しかして、この状態で操作部１６に指を掛けてシャッター板１３を図５（ｂ）および図６（ｂ）に示すように球抜き孔１１を全開する第１位置へ摺動させると透孔１２と屈曲溝孔１９の保持部１８とが合致して皿部８に貯留されているパチンコ球のうちの１個が保持部１８に自然に落入する。なお、シャッター板１３を第１位置に摺動させる際に、皿部８に貯留されているパチンコ球がシャッター板１３の受片１７に設けられた貫通孔２０に落入することになるが、該パチンコ球は支持枠１４に開設された第２落下孔２４に運ばれてそのまま下方へ落下するようになっている。
【００１４】
そして、シャッター板１３を第１位置に摺動させた後、操作部１６から手を放すとシャッター板１３はスプリング１５の付勢で球抜き孔１１を閉じる方向に復動することになるが保持部１８に落入したパチンコ球Ｂが凹部２２を移動して係合段部２６に当接することになるため、その復動が阻止される（図５（ｃ）および図６（ｃ）参照）。従って、操作部１６から手を離しても係合段部２６に当接するパチンコ球Ｂがストッパー手段として機能してシャッター板１３は球抜き孔１１をほぼ全開する第２位置に停止保持されることになり、皿部８のパチンコ球は球抜き孔１１から円形孔２１に落下して球抜きすることができる。
【００１５】
一方、シャッター板１３が第２位置で停止保持されると、皿部８の透孔１２とシャッター板１３の貫通孔２０とが一致してシャッター板１３の停止保持と同時的に皿部８に貯留されるパチンコ球Ｂ１が透孔１２から貫通孔２０に落入することになる。この貫通孔２０に落入したパチンコ球Ｂ１は、図６（ｃ）に示すように凹部２２の凹窪部２５に受けられて皿部８の透孔１２から視認可能な状態であり、このため球抜き孔１１が開放された球抜き状態であることを遊技者に認識させ得る表示手段として用いることができる。
【００１６】
なお、シャッター板１３を元に戻すには、操作部１６に指を掛けて一旦シャッター板１３を図５（ｄ）および図６（ｄ）に示すように球抜き孔１１を全開する第１位置に摺動させる。これによって、屈曲溝孔１９の開放端部と第１落下孔２３とが合致し、係合段部２６に当接してシャッター板１３を第２位置に停止保持していたパチンコ球Ｂが屈曲溝孔１９と凹部２２の傾斜底面に案内されて第１落下孔２３に落下し、同時に貫通孔２０と第２落下孔２４とが合致して表示手段として貫通孔２０に落入していたパチンコ球Ｂ１も第２落下孔２４に落下することになる。このため、操作部１６から手を離すとスプリング１５の付勢によりシャッター板１３が復動して球抜き孔１１を閉じることになる。
【００１７】
このように本発明によれば、皿部８に貯留されるパチンコ球がすべて球抜きされても皿部８の透孔１２には遊技者が視認可能な状態でパチンコ球Ｂ１が残されることになるため、該パチンコ球Ｂ１を球抜き孔１１が開放された球抜き状態であることを遊技者に認識させ得る表示手段として用いることができ、これによって遊技者に対して球抜き状態であることを効果的に知らしめることができる。また、皿部８の透孔１２に表示手段として残されているパチンコ球Ｂ１は、当然に遊技者のものであり、たとえ１個であったとしても景品交換に影響を及ぼすことになり得るため、そのパチンコ球を回収するべく遊技者自身に高い確率で自発的に球抜き解除操作を行なってもらうことができ、その結果シャッター板１３が球抜き状態のままで放置されるようなことが少なくなる。
【００１８】
なお、上記実施の形態では、球抜き孔１１と貫通孔１２とを離して設ける構成として説明したが、例えば図７に示すように透孔１２と球抜き孔１１とを連通状に設けるようにしてもよい。このように構成することによって、シャッター板１３を第１位置に戻したとき、シャッター板１３の第２位置で貫通孔２０に収容された表示手段としてのパチンコ球Ｂ１の上に積み重なったパチンコ球が保持部１８に落入してシャッター板１３を再び開放状態にするような事態を防ぐことができる。
【００１９】
また、図８に示すように透孔１２と球抜き孔１１とを連通状に形成し、さらにこの透孔１２の周縁沿いに堤２９を形成してもよい。このように構成することによって、より一層パチンコ球の積み重なりによるシャッター板１３の無用な開放状態を防ぐことができる。
【００２０】
【発明の効果】
以上説明したところから明らかなように、本発明は、パチンコ球を貯留する皿部の底壁に球抜き孔を開設すると共に、該底壁の下面に球抜き孔を開閉するシャッター板を摺動自在に設け、該シャッター板を常には球抜き孔を閉じる閉鎖位置に付勢すると共に、ストッパー手段によりシャッター板を球抜き孔を開放する球抜き位置に係止保持し得るようにした球皿を備えてなるパチンコ機において、前記皿部の底壁に、シャッター板が球抜き孔を開放する球抜き位置に係止保持された状態のとき皿部内のパチンコ球が嵌入し得る透孔を設け、該透孔に嵌入するパチンコ球を外部から視認可能な状態として球抜き孔が開放された球抜き状態であることを遊技者に認識させ得る表示手段として用いるようにしたものであるから、簡単な構造であり、かつ遊技者が一番意識する皿部内に貯留されるパチンコ球を表示手段として効果的、かつ有効に利用して遊技者に球抜き状態であることを知らしめることができる。
【００２１】
また、球抜きが終った状態で皿部に表示手段としてのパチンコ球が残されているため、そのパチンコ球を回収するべく遊技者自身に高い確率で自発的に球抜き解除操作を行なってもらうことができ、球抜き状態のままで台を移動して次の遊技者に迷惑を及ぼすというような事態を少なくすることができる。
【図面の簡単な説明】
【図１】  パチンコ機の正面図である。
【図２】  下部球皿の斜視図である。
【図３】  下部球皿の分解斜視図である。
【図４】  下部球皿の平面図である。
【図５】  （ａ）〜（ｄ）は作用を説明する要部平面図である。
【図６】  （ａ）〜（ｄ）は作用を説明する要部断面図である。
【図７】  球抜き孔と透孔を連通させた他の実施の形態を示す下部球皿の平面図である。
【図８】  球抜き孔と透孔を連通させ、さらに周縁に堤を設けた他の実施の形態を示す下部球皿の平面図である。
【符号の説明】
７          下部球皿
８          皿部
１０        底壁
１１        球抜き孔
１２        透孔
１３        シャッター板
【図１】
0003678977.tif 000002
【図２】
0003678977.tif 000003
【図３】
0003678977.tif 000004
【図４】
0003678977.tif 000005
【図５】
0003678977.tif 000006
【図６】
0003678977.tif 000007
【図７】
0003678977.tif 000008
【図８】
0003678977.tif 000009